(57)【要約】【課題】  本発明の課題は、据え置き型のコンピュータや持ち運び型のコンピュータ等、様々な形態のコンピュータに対応した接続状態にすることができる記録装置を得ることにある。【解決手段】  コンピュータ４４、４５からのデータを出力するプリンタ装置１であって、コンピュータ４４、４５に接続ケーブル４６を介して接続されて、コンピュータ４４、４５からのデータが入力される接続部３４、３６が、前面１ａと背面１ｃとのそれぞれに少なくとも１箇所ずつ設けられている。【選択図】      図１
2006247952.tif 000002
【特許請求の範囲】
【請求項１】
コンピュータからのデータを出力する記録装置であって、
コンピュータに接続部材を介して接続されて、コンピュータからのデータが入力される入力端子が、前面と背面とのそれぞれに少なくとも１箇所ずつ設けられていることを特徴とする記録装置。
【請求項２】
各入力端子のうち、使用する入力端子に切り替える切り替え手段が設けられていることを特徴とする請求項１に記載の記録装置
【請求項３】
各入力端子は、これらの入力端子がそれぞれコンピュータと接続された場合に、使用される優先順位が設定されていることを特徴とする請求項１に記載の記録装置。
【請求項４】
各入力端子のうち、前面の入力端子が最優先されるように設定されていることを特徴とする請求項３に記載の記録装置。
【請求項５】
その上面が略平面状の箱状に形成されていることを特徴とする請求項１乃至４のいずれかに記載の記録装置。
【発明の詳細な説明】
【技術分野】
【０００１】
本発明は、コンピュータからの出力を紙、糸、繊維、布帛、皮革、金属、プラスチック、ガラス、木材、セラミックス等の被記録媒体に対して印字記録を行うプリンタ、複写機、通信システムを有するファクシミリ、さらには各種処理装置と複合的に組み合わせた産業用の記録装置に関する。
【背景技術】
【０００２】
一般に、インクジェット記録装置に代表される記録装置は、パーソナルコンピュータ（ＰＣ）の保有率の増加に伴い家庭用の記録装置として広まっている。このような記録装置の形態は、家庭用ＰＣのディスプレーの液晶化が進むにつれて新しいものが提案されてきた。また、テレビはリビングにあるが、家庭用のＰＣは書斎などの別の部屋にある等、家庭用のＰＣは、テレビ、ビデオなどの家庭用電器機器とは全く別個に設けられてきたが、近年においては、次第にこのような機器を統合する傾向が強まっている。
【０００３】
例えば、特許文献１及び特許文献２に記載されているように、記録装置が扁平な直方体形状をなして前面からすべての操作を行うことが可能なように構成され、ビデオデッキやＡＶシステムのようなテレビ周辺機器と並べて収納できるようになっている。
【０００４】
このような記録装置とＰＣとの接続は、ＵＳＢ（Ｕｎｉｖｅｒｓａｌ Ｓｅｒｉａｌ Ｂａｓ）等の入力端子であるインターフェースに、ＰＣからのハーネス等の接続部材を接続することによって行なわれており、このようなインターフェースは、記録装置の背面、あるいは前面のいずれかに設けられていた（例えば特許文献３参照）。
【０００５】
【特許文献１】特開２００２−２９２９７１号公報
【特許文献２】特開２００１−０５８７２７号公報
【特許文献３】特開２００４−１７５０１２号公報
【発明の開示】
【発明が解決しようとする課題】
【０００６】
ところで、家庭用ＰＣの形態はＣＲＴデスクトップ型から、液晶ディスプレー一体型・テレビ一体型などの据え置き型、ノート型などの持ち運び型・モバイル型へ多様化している。
【０００７】
このような状況で、インターフェースが前面のみにある場合は、ノート型ユーザーは記録装置で出力するときだけＰＣと接続することが容易に行えるが、据え置き型ユーザーは常時接続しておくのが一般的で、前面にハーネス等の接続部材による配線が出て邪魔になっていたという問題がある。一方、インターフェースが背面のみにある場合は、据え置き型ユーザーは常時接続しても配線が背面に隠れて美観を損なうことがなかったが、ノート型ユーザーは背面への接続作業が大変であるという問題がある。すなわち、据え置き型のユーザーにとっては記録装置の背面への接続が使い勝手が良く、ノート型ユーザーにとっては記録装置の前面への接続が使い勝手が良いが、従来の記録装置においては、これらさまざまなユーザーに対応することができなかった。
【０００８】
また、近年では、家庭に据え置き型、モバイル型といった様々な形態のＰＣを複数台所有することもあり、このようなユーザーに対しても、ユーザーの使用形態に対応した接続状態にすることができる記録装置が望まれている。
【０００９】
本発明は、据え置き型のコンピュータや持ち運び型のコンピュータ等、様々な形態のコンピュータに対応した接続状態にすることができる記録装置を提供することを目的とする。
【課題を解決するための手段】
【００１０】
前記課題を解決するために、請求項１に記載された発明は、コンピュータからのデータを出力する記録装置であって、コンピュータに接続部材を介して接続されて、コンピュータからのデータが入力される入力端子が、前面と背面とのそれぞれに少なくとも１箇所ずつ設けられていることを特徴とする。
【００１１】
請求項２に記載された発明は、請求項１に記載された発明において、各入力端子のうち、使用する入力端子に切り替える切り替え手段が設けられていることを特徴とする。
【００１２】
請求項３に記載された発明は、請求項１に記載された発明において、各入力端子は、これらの入力端子がそれぞれコンピュータと接続された場合に、使用される優先順位が設定されていることを特徴とする。
【００１３】
請求項４に記載された発明は、請求項３に記載された発明において、各入力端子のうち、前面の入力端子が最優先されるように設定されていることを特徴とする。
【００１４】
請求項５に記載された発明は、請求項１乃至４のいずれかに記載された発明において、その上面が略平面状の箱状に形成されていることを特徴とする。
【発明の効果】
【００１５】
本発明によれば、コンピュータにハーネス等の接続部材を介して接続されて、コンピュータからのデータが入力される入力端子が、前面と背面とのそれぞれに少なくとも１箇所ずつ設けられているので、据え置き型のコンピュータや持ち運び型のコンピュータ等、様々な形態のコンピュータに対応した接続状態にすることができる。
【００１６】
すなわち、一般的に常時接続を行なうデスクトップ等の据え置き型のコンピュータを用いるユーザーに対しては、接続部材を記録装置の背面の入力端子に接続することにより、接続部材が記録装置の前面側に出て邪魔になるのを防止することができるとともに、接続部材による配線が背面側に隠れて美観を損なうことを防止することができる。一方、一般的に、使用するたびに接続を行なうノート型などの持ち運び型のコンピュータを用いるユーザーに対しては、接続部材を記録装置の前面の入力端子に接続することにより、その接続を容易に行なうことができる。
【発明を実施するための最良の形態】
【００１７】
以下、本発明を適用した具体的な実施の形態について図面を参照しながら詳細に説明する。図１に示すように、第１実施の形態では、インクジェット方式によって印字記録（印画）するタイプであり、被記録媒体である用紙のページ幅より短尺のいわゆるシリアルヘッドを備えるプリンタ装置（記録装置）１を例にとって説明する。なお、「記録」とは、文字や図形等の意味を持つ画像を被記録媒体に対して付与するだけでなく、パターン等の意味を持たない画像を被記録媒体に付与することをも意味する。
【００１８】
図１に外観を示すように、このプリンタ装置１は、略直方体状（箱状）の外筐に形成されており、後述する給紙トレイ４０の着脱、後述する排紙口２２からの用紙取り出し、及び、インクタンクの交換といった使用者（ユーザー）の操作が必要となる操作面たるフロントパネル２０を使用者に対面する前面１ａに設け、上面１ｂを略平面とすることにより、上面１ｂに物を載置することが可能なものである。なお、本実施の形態では、特に断りがない限り、プリンタ装置１における使用者に対面する一面を前面１ａとし、フロントパネル２０を正面から見据えたときにおける右側及び左側の側面をそれぞれ、右側面及び左側面とし、フロンとパネルを正面から見据えたときにおける後側を背面１ｃとする。
【００１９】
図１及び図２に示すようにプリンタ装置１は、使用者に対面する一面を前面１ａとしたとき当該プリンタ装置１の上面１ｂ及び両側面を形成するカバー１０と、当該プリンタ装置１の前面を形成する外装パネルであるフロントパネル２０と、印画された用紙を排紙するための排紙口２２と、印画された用紙を排紙するための排紙トレイ５０と、本体から引き出すことができる給紙トレイ４０と、スイッチ群３０と、ランプ群３１とを備えている。なお、図２においては、スイッチ群３０、ランプ群３１及び後述するスロット３９の図示は省略している。
【００２０】
ここで、排紙トレイ５０は、図１に示すように、印字完了後に排紙される用紙を受けて載置する役目をし、前後方向にスライド可能であり、収納した場合には、排紙口２２を覆う開閉カバー３２として機能する。
【００２１】
また、給紙トレイ４０は筐体内に収納された状態にて用紙の供給が可能であり、また、図２に示すように、前方へ引き出された状態にて用紙の補充や交換が可能なように構成されている。被記録媒体としては、用紙の他に、普通紙、コート紙、ＯＨＰシート、光沢紙、光沢フィルム、ラベルシート、ハガキなどが利用できる。
【００２２】
スイッチ群３０は、例えば、プリンタ装置１の電源スイッチや、モード切替といったその他の各種操作を行うための操作スイッチ等からなるものである。
【００２３】
また、ランプ群３１は、例えば、電源がＯＮであることを示したり、印画中であることを示す状態ランプや、用紙が本体の内部で詰まったことを報知したり、交換が必要なことを報知する警告ランプ等からなるものである。例えば、プリンタ装置１は、本体の内部に設けられたセンサによって紙詰まりが生じたことを検知し、用紙が本体の内部で詰まったことを報知するランプを点灯制御する。この際、プリンタ装置１においては、給紙動作の際に紙詰まりが生じたのか、排紙動作の際に紙詰まりが生じたのかを示すために、点滅パターンや点灯色等を変化させる各状況に対応した複数のランプを搭載している。また、プリンタ装置１は、図示しないインクタンクからのインクの吐出量を電気的にカウントしており、カウントした吐出量が所定の容量以上となった場合に、インクタンクの交換が必要なことを報知するランプを点灯制御する。
【００２４】
図３に示すように、プリンタ装置１の扉１７をあけることによって、インクカートリッジ装填部１３を介して装着されたインクカートリッジ１８の取り付け及び交換が可能となっている。インクカートリッジ１８からはチューブによって記録ヘッドにインクが供給される。記録ヘッドを搭載したキャリッジが、シャフトに支持され、キャリッジモータに駆動されて主走査方向に往復動自在に設けられている。
【００２５】
インクカートリッジ１８からチューブで記録ヘッドにインクを供給することによって、インクカートリッジ１８の配置場所に選択自由度が大きくなり、プリンタ装置１の前面からのインクカートリッジ１８の交換を可能とすることができ、インクカートリッジ１８の交換作業の周辺空間への影響を最小限に抑制することができるとともに、前面操作が可能になり、他の機器との積層や、キャビネット等の狭い収納手段への収納を容易に行うことができ、周辺空間の利用効率の高いプリンタ装置１を実現することができる。
【００２６】
図４は、インクカートリッジ１８からチューブで記録ヘッド６へインクを供給する機構を説明するための模式図である。インク吐出口１９からインクを吐出し記録を行う記録ヘッド６と、この記録ヘッド６にインクを供給するためのインクカートリッジ１８が、負圧発生容器２１を介してチューブ２３で接続されて、インク流通可能な経路を構成している。
【００２７】
負圧発生容器２１は、筐体２４と、筐体２４の内側に位置し筐体２４から剥離可能な内袋２５とから構成されている。負圧発生容器２１には記録ヘッド６へインクを供給するためのインク供給口２６と、インクカートリッジ１８内のインク２７を負圧発生容器２１内へ吸引するためのインク吸引口２８とが設けられている。すなわち、負圧発生容器２１は、インク供給口２６を介して記録ヘッド６と接続されており、インク吸引口２８およびチューブ２３を介してインクカートリッジ１８と接続されている。内袋２５の内部にはインク２７が収納される。筐体２４の一部には、筐体２４と内袋２５の間の空間を大気と連通させるための大気連通口２９が設けられている。
【００２８】
負圧発生容器２１は、負圧発生機能を有する、ほぼ多角柱形状の中空容器である。負圧発生容器２１は筐体２４と内袋２５とから構成され、筐体２４と内袋２５とがそれぞれ剥離可能になっている。内袋２５は可撓性を有しており、この内袋２５は、内部に収納されたインク２７の導出に伴い変形可能である。また、大気連通口２９が設けられており、大気連通口２９を通して内袋２５と筐体２４との間に大気を導入可能となっている。
【００２９】
内袋２５は、その内側から順に、耐インク性を有する接液層、弾性率支配層、ガスバリア性に優れたガスバリア層が積層された３層からなり、それぞれの層が接合状態で機能分離されている。弾性率支配層は、負圧発生容器２１の使用温度範囲内で弾性率支配層の弾性率がほぼ一定に保たれるものであり、すなわち、負圧発生容器２１の使用温度範囲内で内袋２５の弾性率がその弾性率支配層によってほぼ一定に保たれる。内袋２５では、中間の層と外側の層とが入れ代わり、弾性率支配層が最も外側の層で、ガスバリア層が中間の層であってもよい。
【００３０】
このように内袋２５が構成されていることにより、耐インク層、弾性率支配層およびガスバリア層という少ない層構成で内袋２５がそれぞれの層の機能を十分に発揮することが可能となり、内袋２５の弾性率などの、温度変化に対する影響が少なくなる。また、内袋２５では、使用温度範囲内で負圧発生容器２１の負圧を制御するために適した弾性率が確保されるので、負圧発生容器２１内のインクに対して内袋２５がバッファーの機能を有することとなる。
【００３１】
本実施形態においては、内袋２５を構成する最も内側の接液層の材質としてポリプロピレンあるいはポリエチレン、中間の弾性率支配層として環状オレフィンコポリマ、最も外側のガスバリア層の材質としてＥＶＯＨ（ＥＶＡ（エチレン酢酸ビニル共重合体樹脂）のけん化物）が用いられている。ここで、弾性率支配層に機能性接着樹脂材料を含ませることで、互いの層間に接着層を特別に備える必要がないため、内袋２５の厚みを薄くすることができ、好ましい。また、筐体２４の材質としては、内袋２５の最内層と同じポリプロピレンが用いられている。
【００３２】
インク吸引口２８にはチューブ２３を介してインクカートリッジ１８が着脱可能に接続されている。インクカートリッジ１８内部にインク２７を収容し、インクカートリッジ１８の筐体４１の上部にはインクカートリッジ１８内を大気と連通するための大気連通口４２が設けられている。インクカートリッジ１８、負圧発生容器２１に対して、使用状態でインク２７の液面が低くなる位置に配されている。チューブ２３の先端は前記インクカートリッジ１８の底面に配置されている。
【００３３】
また、図１に示すように、プリンタ装置１の前面１ａに設けられたフロントパネル２０には、ハーネス等の接続ケーブル（接続部材）４６（図６参照）を介して、後述するパーソナルコンピュータ（ＰＣ）４４、４５と接続するための例えば、ＵＳＢ接続部（入力端子）３４が設けられている。この接続部３４はＰＣ４４、４５と接続するためのものであって、ＵＳＢコネクタ（シリーズＢ／ダウンストリーム）である。この接続部３４を介してホストとなるコンピュータと接続し、印画対象とするデータの受信や各種制御信号の送受信を行うことができる。なお、接続部３４は、ＵＳＢに限ったことではなく、ＬＡＮなどによるものでも良い。
【００３４】
また、フロントパネル２０には、上記接続部３４の他、デジタルカメラなどの周辺機器と接続するための接続部３５も備えている。接続部３５はたとえばＵＳＢコネクタ（シリーズＡ／アップストリーム）であり、デジタルカメラの画像を直接印字することができる。また、フロントパネル２０は、コンパクトフラッシュ（登録商標）、ＳＤ（登録商標）メモリカード、メモリスティック（登録商標）などの各種メモリカードを挿入するスロット３９が設けられている。
【００３５】
さらに、図５に示すように、プリンタ装置１は、その背面１ｃに設けられた電源コード３３を介して家庭用アウトレット（コンセント）から電源が供給されるようになっており、この背面１ｃには、ＰＣ４４、４５と接続するための接続部（入力端子）３６が設けられている。すなわち、第２のＵＳＢコネクタ（シリーズＢ／ダウンストリーム）が設けられている。また、ＰＣとの接続はＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ、アメリカ電気電子学会）によって承認されたＩＥＥＥ Ｓｔｄ． １３９４−１９９５：ＩＥＥＥ Ｓｔａｎｄａｒｄ ｆｏｒ ａ Ｈｉｇｈ Ｐｅｒｆｏｒｍａｎｃｅ ｓｅｒｉａｌ Ｂｕｓ規格を基本仕様として様々な規格が立案されているＩＥＥＥ１３９４に準拠したシリアルバスを接続するため接続部であってもよい。また、プリンタ装置１の背面１ｃには、上記電源コード３３および接続部３６の他にも、デジタルカメラを接続した場合や、メモリカードを挿入した場合に、メモリカード内の画像をテレビに出力するためのビデオ出力用のＲＣＡ端子（ピンジャック）３７およびＳ端子３８が設けられている。
【００３６】
図６に、本実施の形態のプリンタ装置１とＰＣ４４、４５との使用状況を示す。この図８に示すように、プリンタ装置１はテレビ台や棚などの収納ラック４３に収められている。デスクトップ型のＰＣ４４は据え置きとして使用し、プリンタ装置１の背面１ｃの接続部３６に図示しない接続ケーブルによって接続されている。ノート型ＰＣ４５はモバイル用（持ち運び用）として使用し、印字が必要なときに接続ケーブル４６によってプリンタ装置１の前面１ａの接続部３４に接続される。
【００３７】
このように、プリンタ装置１の背面１ｃと前面１ａにＰＣ４４、４５との接続部３４、３６を設けることによって、さまざまな使用環境に適応したプリンタ装置１の実現が可能となり、個々のユーザーにとって使い勝手の良い使用形態にすることができる。すなわち、常時接続される据え置き型のＰＣ４４に対しては、接続ケーブルをプリンタ装置１の背面１ｃの接続部３６に接続することにより、接続ケーブルがプリンタ装置１の前面１ａ側に出て邪魔になるのを防止することができるとともに、接続ケーブルによる配線が背面１ｃ側に隠れて美観を損なうことを防止することができる。一方、使用するたびに接続を行なうノート型のＰＣ４５に対しては、接続ケーブル４６をプリンタ装置１の前面１ａの接続部３４に接続することにより、その接続を容易に行なうことができる。
【００３８】
図７は、本実施の形態のプリンタ装置１の主要部を示すブロック図である。上位装置であるＰＣ４４、４５から下位装置であるプリンタ装置１に、接続ケーブル４６を介して記録すべき文字や画像のデータが送信されると、プリンタ装置１内の受信バッファ４に蓄えられる。また、正しくデータが転送されているかどうかを確認するデータ、およびプリンタ装置１の動作状態を知らせるデータがプリンタ装置１からＰＣ４４、４５に送信される。受信バッファ４に蓄えられたデータは、ＣＰＵ５の管理下において、記録ヘッド６の主走査に伴って記録を行うためのデータに加工され、ランダムアクセスメモリ（ＲＡＭ）部７内に設けたプリントバッファ部に記憶される。プリントバッファ部のデータは、記録ヘッドコントロール部８により記録ヘッド６に転送され、記録ヘッドを制御して文字や画像のデータを記録する。また、記録ヘッドコントロール部８は、記録ヘッド６の状態を示す温度情報等を検出してＣＰＵ５に送り、ＣＰＵ５はこれに応じてその状態に適合した記録ヘッド６の制御を行うべく記録ヘッドコントロール部８にその情報を伝達することで、記録ヘッド６の制御が行われる。
【００３９】
機能（機械）コントロール部９は、ＣＰＵ５からの指令により主走査モータや副走査モータ等の機能部（機械部）１１の駆動制御を行う。センサ／ＳＷコントロール部１２は、各種センサやスイッチ（ＳＷ）からなるセンサ／ＳＷ部１３からの信号をＣＰＵ５に送る。さらに、表示素子コントロール部１４は、ＣＰＵ５からの指令により、フロントパネル２０に設けられたランプ群３１からなる表示部１５を制御するよう構成されている。なお、ＲＯＭ１６は、ＣＰＵ５が実行する制御手順に対応したプログラムその他の固定データを格納するためのものである。
【００４０】
図８は、本実施の形態に係るプリンタ装置１が一ジョブの印刷時に実行する処理手順を説明する図である。
【００４１】
まず、ＳＴＥＰ１では、記録装置が記録するためのデータが、プリンタ装置１の前面に設けられた接続部３４か背面に設けられた接続部３６のどちから入力されたジョブを記録するかユーザーが選択する。具体的にはプリンタ装置１に設けられた切り替えスイッチやリレーなどの切り替え手段５０によってユーザーが、使用する接続部３４、３６を選択する。そして、ＳＴＥＰ２にて、ユーザーが選択した接続部３４、３６に入力されたジョブを記録（印刷）することができる。ユーザーは常時接続するために背面の接続部３６を用いるか、随時接続ケーブルの切り離しを行うために前面の接続部３４を用いるかを選択することができる。
【００４２】
なお、本発明は、上述した実施の形態に限定されず、その要旨を逸脱しない範囲で種々の変形が可能である。なお、以下に示す変形例においては、上記実施の形態と同一の部分には、同一の符号を付することによってその説明を簡略化することとする。
【００４３】
図９は、第２実施の形態に係るプリンタ装置１の一ジョブの印刷時に実行する処理手順を示すフローチャートである。この処理手順が適用されるプリンタ装置１には前面１ａと背面１ｃに接続部３４、３６が設けられ、この処理手順は入力データがどの接続部３４、３６を経由して入力されたものであるかを判断するものである。
【００４４】
まず、ＳＴＥＰ１０では前面１ａの接続部３４に接続ケーブル４６が接続されているかどうかをプリンタ記録１が判別する。もし、この接続部３４に接続ケーブル４６が接続されていれば、ＳＴＥＰ１１にて、背面１ｃの接続部３６への接続の有無にかかわらず、前面１ａの接続部３４から入力されたジョブを処理する。もし、前面１ａの接続部３４に接続ケーブル４６が接続されていなければ、ＳＴＥＰ１２にて、背面１ｃの接続部３６を介して入力されたジョブを処理（印刷）する。
【００４５】
言い換えれば、図６に示すように、プリンタ装置１の前面１ａと背面１ｃとに同時に接続ケーブル４６を接続されているときにおいて、前面１ａの接続部３４に接続された場合は、前面１ａの接続部３４が優先されて処理を行う。これは、据え置き型のＰＣ４４とモバイル型のＰＣ４５と２台以上保有するユーザーが背面１ｃの接続部４６には据え置き型のＰＣ４４とプリンタ装置１とを常時接続しておき、モバイル型のＰＣ４５からの出力が必要になったときに、モバイル型のＰＣ４５からの接続ケーブル４６を前面１ａの接続部３４に接続して、モバイル型のＰＣ４５からのデータを出力することができる。モバイル型のＰＣ４５とプリンタ装置１との接続を外すと、背面１ｃの接続部３６を介して接続されている据え置き型のＰＣ４４からのデータ出力が可能となる。
【００４６】
図１０は、第３実施の形態に係るプリンタ装置１が一ジョブの印刷時に実行する処理手順を示すフローチャートである。ここでは、ＳＴＥＰ２０にて、記録信号の入力に応じ前面１ａの接続部３４に入力信号が現れたか否かを判定し、肯定判定であればＳＴＥＰ２１にて前面１ａの接続部３４からの入力を有効にし、背面１ｃの接続部３６から入力信号があっても遮断し、２つ接続部３４、３６からのデータの混入を防止する。
【００４７】
一方、否定判定の場合、すなわち前面１ａの接続部３４を介しての信号入力が無いにもかかわらず記録信号が存在した場合には、ＳＴＥＰ２２にて背面１ｃの接続部３６からの入力を有効にし、前面１ａの接続部３４からの入力信号を遮断する。なお、この入力信号は、ＰＣ４４、４５で稼動しているプリンタドライバによって付加されるものでも良い。また、上位装置であるＰＣ４４、４５における固有のプロトコルを解析して判断を行うものであっても良い。
【００４８】
また、上記実施の形態では、プリンタ装置１がシリアルヘッドを備え、インクジェット方式によって印画するものであるものとして説明したが、本発明は、シリアルヘッドではなく、用紙の紙送り方向に対して略垂直方向に複数の駆動素子が配列されているラインヘッドを備えるプリンタ装置であっても適用可能であり、また、インクジェット方式によって印画するものではなく、熱転写によって印画するタイプにも適用可能である。なお、本発明を熱転写によって印画するタイプに適用した場合には、インクタンクを交換するための各部に代えて、インクリボンを交換するための各部が備えられることになる。
【００４９】
また、上記実施の形態では、プリンタ装置１の前面１ａと背面１ｃにそれぞれ、１つずつ接続部３４、３６を設けたが、これに限定されず、複数個の接続部を設けるように四手も良い。この場合、各接続部にそれぞれＰＣからの接続ケーブルが接続されていた場合、使用する接続部の優先順位を予め設定しておくようにしても良い。優先順位としては、前面１ａのいずれかの接続部を最優先するのが、ユーザーの利便性の観点上好ましい。
【００５０】
さらに、上記実施の形態では、プリンタ装置１の前面１ａ及び背面１ｃにそれぞれ接続部３４、３６を設けたが、これに加え、プリンタ装置１の上面１ｂ、両側面及び下面にも、上記接続部３４、３６と同様な接続部を設けるようにしても良い。
【図面の簡単な説明】
【００５１】
【図１】第１実施の形態に係るプリンタ装置を概略的に示す斜視図である。
【図２】図１のプリンタ装置の給紙トレイを引き出した状態を示す斜視図である。
【図３】図１のプリンタ装置の扉を開けた状態を示す斜視図である。
【図４】図１のプリンタ装置のインクカートリッジから記録ヘッドにインクを供給する機構を説明するための模式図である
【図５】図１のプリンタ装置を背面側から見た斜視図である。
【図６】図１のプリンタ装置とパーソナルコンピュータとの使用状況を示す斜視図である。
【図７】図１のプリンタ装置の主要部を示すブロック図である。
【図８】第１実施の形態のプリンタ装置が実行する処理手順を説明する図である。
【図９】第２実施の形態に係るプリンタ装置が実行する処理手順を示すフローチャートである。
【図１０】第３実施の形態に係るプリンタ装置が実行する処理手順を示すフローチャートである。
【符号の説明】
【００５２】
１          プリンタ装置（記録装置）
１ａ        前面
１ｂ        上面
１ｃ        背面
３４、３６  接続部（入力端子）
４４、４５  パーソナルコンピュータ（コンピュータ）
４６        接続ケーブル（接続部材）
５０        切り替え手段
【図１】
2006247952.tif 000003
【図２】
2006247952.tif 000004
【図３】
2006247952.tif 000005
【図４】
2006247952.tif 000006
【図５】
2006247952.tif 000007
【図６】
2006247952.tif 000008
【図７】
2006247952.tif 000009
【図８】
2006247952.tif 000010
【図９】
2006247952.tif 000011
【図１０】
2006247952.tif 000012